(57)【要約】【課題】１つの接点が故障した場合の取り替えに必要な費用のみならず、取り替えに要する時間も最小にすることができる安価な複合型ガス絶縁開閉装置である。【解決手段】複合型ガス絶縁開閉装置３０は遮断器接点４２を収納した絶縁物の容器４１と、断路器接点３７，３８をそれぞれ収納した複数の絶縁物の容器３５，３６を、単一の金属容器３４に設ける一方、前記金属容器３４を接地構造物４４に設けられた絶縁性サポート容器４５で保持し、前記各絶縁物の容器３５，３６，４１と前記絶縁性サポート容器４５で保持された金属容器３４の内部を絶縁性のガスで密封して、それぞれ独立した複数のガス区画３９，４０，４３，４９を形成し、上記各ガス区画３９，４０，４３，４９を絶縁性ホースあるいはパイプ５１，５２，５３、５４を介してそれぞれ個別にガス監視処理装置５０に接続した構成である。【選択図】　図１
2004120953.tif 000002
【特許請求の範囲】
【請求項１】
遮断器接点を収納した絶縁物の容器と、断路器接点をそれぞれ収納した複数の絶縁物の容器とを、単一の金属容器に設ける一方、前記金属容器を接地構造物に設けられた絶縁性サポート容器で保持し、前記各絶縁物の容器および金属容器の内部を絶縁性のガスで密封して、独立した複数のガス区画をそれぞれ形成し、前記各ガス区画を絶縁性ホースあるいはパイプを介してガス監視処理装置に接続したことを特徴とする複合型ガス絶縁開閉装置。
【請求項２】
前記遮断器接点を収納した絶縁物の容器で形成されるガス区画と前記絶縁性サポート容器で保持された金属容器で形成されるガス区画とを絶縁性ホースあるいはパイプにより接続し、単一のガス監視処理装置に接続したことを特徴とする請求項１記載の複合型ガス絶縁開閉装置。
【請求項３】
前記遮断器接点を収納した絶縁物の容器で形成されるガス区画と前記絶縁性サポート容器で保持された金属容器で形成されるガス区画を絶縁性ホースあるいはパイプにより接続し、単一のガス監視処理装置に接続され、かつ前記断路器接点をそれぞれ収納した複数の絶縁物の容器で形成されるそれぞれのガス区画のうち少なくとも２つ以上のガス区画を絶縁性ホースあるいはパイプにより接続し、単一のガス監視処理装置に接続したことを特徴とする請求項１記載の複合型ガス絶縁開閉装置。
【請求項４】
前記遮断器接点を収納した絶縁物の容器で形成されるガス区画と前記絶縁性サポート容器で保持された金属容器で形成されるガス区画と前記断路器接点をそれぞれ収納した複数の絶縁物の容器で形成されるそれぞれのガス区画のうち少なくとも２つ以上のガス区画を、絶縁性ホースあるいはパイプにより接続し、単一のガス監視処理装置に接続したことを特徴とする請求項１記載の複合型ガス絶縁開閉装置。
【請求項５】
前記遮断器接点を収納した絶縁物の容器と前記絶縁性サポート容器で保持された金属容器が単一のガス区画を形成し、絶縁性ホースあるいはパイプを介して単一のガス監視処理装置に接続したことを特徴とする請求項１記載の複合型ガス絶縁開閉装置。
【請求項６】
前記遮断器接点を収納した絶縁物の容器と前記絶縁性サポート容器で保持された金属容器が単一のガス区画を形成し、絶縁性ホースあるいはパイプを介して単一のガス監視処理装置に接続され、かつ前記断路器接点をそれぞれ収納した複数の絶縁物の容器で形成されるそれぞれのガス区画のうち少なくとも２つ以上のガス区画を絶縁性ホースあるいはパイプにより接続し、単一のガス監視処理装置に接続したことを特徴とする請求項１記載の複合型ガス絶縁開閉装置。
【請求項７】
前記遮断器接点を収納した絶縁物の容器と前記絶縁性サポート容器で保持された金属容器が単一のガス区画を形成し、このガス区画と前記断路器接点をそれぞれ収納した複数の絶縁物の容器で形成されるそれぞれのガス区画のうち少なくとも２つ以上のガス区画を、絶縁性ホースあるいはパイプにより接続し、単一のガス監視処理装置に接続したことを特徴とする請求項４記載の複合型ガス絶縁開閉装置。
【請求項８】
前記遮断器接点を収納した絶縁物の容器と、断路器接点をそれぞれ収納した複数の絶縁物の容器を、前記絶縁性サポート容器で保持された単一の金属容器に設け、前記各絶縁物の容器と前記絶縁性サポート容器で保持された金属容器の内部を絶縁性のガスで密封して、前記断路器接点をそれぞれ収納した複数の絶縁物の容器はガス区画をそれぞれ形成し、前記遮断器接点を収納した絶縁物の容器と前記絶縁性サポート容器で保持された金属容器が単一のガス区画を形成したガス絶縁開閉ユニットを構成し、このガス絶縁開閉ユニットは、単一の接地構造物上に複数個設けられ、各ガス区画を絶縁性ホースあるいはパイプにてガス監視処理装置に接続したことを特徴とする複合型ガス絶縁開閉装置。
【請求項９】
前記複数のガス絶縁開閉ユニットが具備する各ガス区画のうち相対的に同一のガス区画同士を絶縁性ホースあるいはパイプにて接続し単一のガス監視処理装置に接続したことを特徴とする請求項８記載の複合型ガス絶縁開閉装置。
【請求項１０】
前記複数のガス絶縁開閉ユニットのうち、遮断器接点を収納した絶縁物の容器と前記絶縁性サポート容器で保持された金属容器が形成する各ガス区画は絶縁性ホースあるいはパイプにて個別にガス監視処理装置に接続し、断路器接点をそれぞれ収納した複数の絶縁物の容器で形成される各ガス区画は、前記各ガス絶縁開閉ユニットの相対的に同一なガス区画同士を絶縁性ホースあるいはパイプにて接続し単一のガス監視処理装置に接続したことを特徴とする請求項８記載の複合型ガス絶縁開閉装置。
【請求項１１】
前記複数のガス絶縁開閉ユニットのうち、遮断器接点を収納した絶縁物の容器と前記絶縁性サポート容器で保持された金属容器が形成する各ガス区画は絶縁性ホースあるいはパイプにて個別にガス監視処理装置に接続し、断路器接点をそれぞれ収納した複数の絶縁物の容器で形成される各ガス区画は、絶縁性ホースあるいはパイプにて接続し単一のガス監視処理装置に接続したことを特徴とする請求項８記載の複合型ガス絶縁開閉装置。
【発明の詳細な説明】
【０００１】
【発明の属する技術分野】
本発明は、容器内に絶縁性ガスを充填したガス絶縁開閉装置に係り、特に遮断器と断路器とガス監視、ガス処理を可能とした複合型ガス絶縁開閉装置に関する。
【０００２】
【従来の技術】
従来、電力用開閉装置にて主流を占めるガス絶縁開閉装置では、特に図１５に示した米国特許第５８４１０８７号明細書（例えば、特許公報１参照）に記載されたものが代表的である。
【０００３】
この複合型ガス絶縁開閉装置では、断路装置１が絶縁性ガス、例えばＳＦ６ガスを充填した接地金属容器２に収納されている。接点を形成する固定電極３，４は、絶縁スペーサを介し、接地金属容器２のフランジ５、６に固定されている。
【０００４】
一方、接地金属容器２と電気的に接続された固定電極８がフランジ７に固定されている。
【０００５】
駆動軸１０は接地金属容器２の外部から内部に絶縁性ガスの気密を保って設置されている。
【０００６】
電流端子１１は図示しない別の装置、例えば遮断器に接続されている。
【０００７】
そして、図１５に示した円柱状の可動電極１２，１３，１４は、それぞれ固定電極３，４，８と対を成し、接点１５，１６，１７を形成している。可動電極１２，１３，１４は電気的に、金属容器１８および図示しない摺動接触子により電流端子１１に接続されている。
【０００８】
２重母線方式における主母線の導体は、固定電極３，４にそれぞれ接続される。したがって、接点１５，１６は主母線選択断路器の役割を果たす。また、固定電極８は接地電位であるので、接点１７は接地装置となる。
【０００９】
駆動機構１９はカム２０，２１、図示しないカムおよび各カムに作用するレバーから構成されている。カム２０、２１は駆動軸１０の回転に伴い直線状往復運動をする。この駆動機構１９は可動電極１２，１３，１４のそれぞれに接続され駆動軸１０の回転駆動力を可動電極１２，１３，１４に伝達する機能を有している。
【００１０】
【特許公報１】
米国特許第５８４１０８７号明細書
【００１１】
【発明が解決しようとする課題】
従来のガス絶縁開閉装置においては、それぞれの断路器の接点１５、１６が同一の接地金属容器２の内部に形成されている。また、可動電極１２，１３，１４が共通の駆動機構１９に設置されている。このため、一方の断路器が故障したとき故障した断路器のみを取り替えることができない。すなわち両方の断路器を同時に取り替える必要が生じる。このため、取り替えに必要なコストが増大する。
【００１２】
また、現地にて分解組立を実施しなければなない。このため、取り替えに要する作業時間が長くなる。一方、ガス絶縁開閉装置全体を取り替える方法による場合もあるが多大な運搬費用を必要とする。
【００１３】
また、従来のガス開閉絶縁装置では、２つの断路器の接点１５，１６が同一かつ単一のガス区画に設置されている。すなわち、２つの断路器の接点１５，１６の間にガス区分が無い。一方、２重母線方式におけるそれぞれの母線には接点１５、１６以外の接点がない。従って、一方の母線に雷撃があって断路装置１の内部に進入した場合、断路装置１の内部で絶縁破壊が発生し他絡する恐れがある。断路装置１の内部で他絡した場合、他の接点を介さずにガス区画に接続されている全ての系で送電が不可能になる。
【００１４】
したがって、２重母線の両方において送電が不可能になる。すなわち、一方の母線において送電が不可能となっても他方の母線で送電が可能となる２重母線方式の機能を失う。
【００１５】
本発明はかかる従来の事情に対処するためになされたものであり、１つの接点が故障した場合の取り替えに必要な費用のみならず、取り替えに要する時間も最小にすることができる安価な複合型ガス絶縁開閉装置を提供することを目的とする。
【００１６】
また、本発明の他の目的は、２重母線方式の送電系に適用でき、これにより２重母線方式の機能を損なうことなく母線選択の用途に適用できる複合型ガス絶縁開閉装置を提供することを目的とする。
【００１７】
また、本発明の他の目的は、具体的なガス監視、処理方法を補うことで従来と同等のガス監視、ガス処理機能を兼ね、その他多種多様なガス監視、ガス処理方法を必要に応じ、容易に選択できる複合型ガス絶縁開閉装置を提供することを目的とする。
【００１８】
【課題を解決するための手段】
本発明に係る複合型ガス絶縁開閉装置は、上述の目的を達成するために、請求項１に記載したように、遮断器接点を収納した絶縁物の容器と、断路器接点をそれぞれ収納した複数の絶縁物の容器とを、単一の金属容器に設ける一方、前記金属容器を接地構造物に設けられた絶縁性サポート容器で保持し、前記各絶縁物の容器および金属容器の内部を絶縁性のガスで密封して、独立した複数のガス区画をそれぞれ形成し、前記各ガス区画を絶縁性ホースあるいはパイプを介してガス監視処理装置に接続したことを特徴とするものである。
【００１９】
また、本発明に係る複合型ガス絶縁開閉装置は、上述の目的を達成するために、請求項２に記載したように、前記遮断器接点を収納した絶縁物の容器で形成されるガス区画と前記絶縁性サポート容器で保持された金属容器で形成されるガス区画とを絶縁性ホースあるいはパイプにより接続し、単一のガス監視処理装置に接続したことを特徴とするものである。
【００２０】
また、本発明に係る複合型ガス絶縁開閉装置は、上述の目的を達成するために、請求項３に記載したように、前記遮断器接点を収納した絶縁物の容器で形成されるガス区画と前記絶縁性サポート容器で保持された金属容器で形成されるガス区画を絶縁性ホースあるいはパイプにより接続し、単一のガス監視処理装置に接続され、かつ前記断路器接点をそれぞれ収納した複数の絶縁物の容器で形成されるそれぞれのガス区画のうち少なくとも２つ以上のガス区画を絶縁性ホースあるいはパイプにより接続し、単一のガス監視処理装置に接続したことを特徴とするものである。
【００２１】
また、本発明に係る複合型ガス絶縁開閉装置は、上述の目的を達成するために、請求項４に記載したように、前記遮断器接点を収納した絶縁物の容器で形成されるガス区画と前記絶縁性サポート容器で保持された金属容器で形成されるガス区画と前記断路器接点をそれぞれ収納した複数の絶縁物の容器で形成されるそれぞれのガス区画のうち少なくとも２つ以上のガス区画を、絶縁性ホースあるいはパイプにより接続し、単一のガス監視処理装置に接続したことを特徴とするものである。
【００２２】
また、本発明に係る複合型ガス絶縁開閉装置は、上述の目的を達成するために、請求項５に記載したように、前記遮断器接点を収納した絶縁物の容器と前記絶縁性サポート容器で保持された金属容器が単一のガス区画を形成し、絶縁性ホースあるいはパイプを介して単一のガス監視処理装置に接続したことを特徴とするものである。
【００２３】
また、本発明に係る複合型ガス絶縁開閉装置は、上述の目的を達成するために、請求項６に記載したように、前記遮断器接点を収納した絶縁物の容器と前記絶縁性サポート容器で保持された金属容器が単一のガス区画を形成し、絶縁性ホースあるいはパイプを介して単一のガス監視処理装置に接続され、かつ前記断路器接点をそれぞれ収納した複数の絶縁物の容器で形成されるそれぞれのガス区画のうち少なくとも２つ以上のガス区画を絶縁性ホースあるいはパイプにより接続し、単一のガス監視処理装置に接続したことを特徴とするものである。
【００２４】
また、本発明に係る複合型ガス絶縁開閉装置は、上述の目的を達成するために、請求項７に記載したように、前記遮断器接点を収納した絶縁物の容器と前記絶縁性サポート容器で保持された金属容器が単一のガス区画を形成し、このガス区画と前記断路器接点をそれぞれ収納した複数の絶縁物の容器で形成されるそれぞれのガス区画のうち少なくとも２つ以上のガス区画を、絶縁性ホースあるいはパイプにより接続し、単一のガス監視処理装置に接続したことを特徴とするものである。
【００２５】
また、本発明に係る複合型ガス絶縁開閉装置は、上述の目的を達成するために、請求項８に記載したように、前記遮断器接点を収納した絶縁物の容器と、断路器接点をそれぞれ収納した複数の絶縁物の容器を、前記絶縁性サポート容器で保持された単一の金属容器に設け、前記各絶縁物の容器と前記絶縁性サポート容器で保持された金属容器の内部を絶縁性のガスで密封して、前記断路器接点をそれぞれ収納した複数の絶縁物の容器はガス区画をそれぞれ形成し、前記遮断器接点を収納した絶縁物の容器と前記絶縁性サポート容器で保持された金属容器が単一のガス区画を形成したガス絶縁開閉ユニットを構成し、このガス絶縁開閉ユニットは、単一の接地構造物上に複数個設けられ、各ガス区画を絶縁性ホースあるいはパイプにてガス監視処理装置に接続したことを特徴とするものである。
【００２６】
また、本発明に係る複合型ガス絶縁開閉装置は、上述の目的を達成するために、請求項９に記載したように、前記複数のガス絶縁開閉ユニットが具備する各ガス区画のうち相対的に同一のガス区画同士を絶縁性ホースあるいはパイプにて接続し単一のガス監視処理装置に接続したことを特徴とするものである。
【００２７】
また、本発明に係る複合型ガス絶縁開閉装置は、上述の目的を達成するために、請求項１０に記載したように、前記複数のガス絶縁開閉ユニットのうち、遮断器接点を収納した絶縁物の容器と前記絶縁性サポート容器で保持された金属容器が形成する各ガス区画は絶縁性ホースあるいはパイプにて個別にガス監視処理装置に接続し、断路器接点をそれぞれ収納した複数の絶縁物の容器で形成される各ガス区画は、前記各ガス絶縁開閉ユニットの相対的に同一なガス区画同士を絶縁性ホースあるいはパイプにて接続し単一のガス監視処理装置に接続したことを特徴とするものである。
【００２８】
また、本発明に係る複合型ガス絶縁開閉装置は、上述の目的を達成するために、請求項１１に記載したように、前記複数のガス絶縁開閉ユニットのうち、遮断器接点を収納した絶縁物の容器と前記絶縁性サポート容器で保持された金属容器が形成する各ガス区画は絶縁性ホースあるいはパイプにて個別にガス監視処理装置に接続し、断路器接点をそれぞれ収納した複数の絶縁物の容器で形成される各ガス区画は、絶縁性ホースあるいはパイプにて接続し単一のガス監視処理装置に接続したことを特徴とするものである。
【００２９】
【発明の実施の形態】
本発明に係る複合型ガス絶縁開閉装置の実施の形態について添付図面を参照して説明する。
【００３０】
図１は本発明に係る複合型ガス絶縁開閉装置の第１の実施形態を示す構成図である。
【００３１】
図１に示すように、複合型ガス絶縁開閉装置３０は、２重母線方式の各母線
に接続される２つの断路器３１，３２と１つの遮断器３３とを金属容器３４に取付けて構成したものである。
【００３２】
各断路器３１、３２は磁器碍管、複合碍管等の中空円筒状絶縁物で構成される絶縁容器３５、３６を備え、それぞれ異なる絶縁容器３５，３６に断路器接点３７、３８を収納している。絶縁容器３５、３６内にはＳＦ６ガス等の絶縁ガスが封入される。絶縁ガスを封入した各断路器３１、３２は内部が気密に保持され、独立したガス区画３９、４０を形成している。
【００３３】
また、遮断器３３は同じく磁器碍管、複合碍管等の中空円筒状絶縁物で構成される絶縁容器４１を備え、この絶縁容器４１内には遮断器接点４２を収納している。断路器３１、３２と同様に、遮断器３３の絶縁容器４１内は、ＳＦ６ガス等の絶縁ガスが気密を保持した状態で封入され、独立したガス区画４３を形成している。
【００３４】
各断路器３１，３２および遮断器３３の絶縁容器３５、３６、４１は導電性である金属容器３４に立設あるいは斜設される一方、この金属容器３４は接地構造物４４に立設された中空円筒状絶縁物である絶縁サポート容器４５上に設けられる。
【００３５】
この複合型ガス絶縁開閉装置３０は、２つの断路器３１，３２と１つの遮断器３３を金属容器３４に取付けられて一体化されるが、断路器３１，３２は３つ以上で構成し多重母線方式の各母線と接続されるようにしてもよい。
【００３６】
複合型ガス絶縁開閉装置３０は、断路器３１，３２および遮断器３３の各一端を外部端子４６，４７，４８によりそれぞれ外部、例えば母線に接続される一方、他端側を金属容器３４にそれぞれ連結し、この金属容器３４で他端同士を互いに電気的に接続している。金属容器３４は絶縁サポート容器４５により接地構造物４４から絶縁されており、絶縁サポート容器４５の接地電位側に接地構造物４４が設けられる。
【００３７】
金属容器３４、絶縁サポート容器４５内は互いに気密状態で設置され、同一のガス区画４９を形成し、このガス区画４９内にＳＦ６ガス等の絶縁ガスが封入される。
【００３８】
そして、複合型ガス絶縁開閉装置３０には、各断路器３１，３２内にそれぞれ形成されるガス区画３９、４０と、遮断器３３内に形成されるガス区画４３と金属容器３４、絶縁サポート容器４５内に形成されるガス区画４９が互いに独立して形成される。
【００３９】
断路器３１、３２内および遮断器３３のガス区画３９、４０、４３は金属容器３４から絶縁サポート容器４５内を通り接地構造物４４内に設けられたガス監視処理装置５０と絶縁ホースあるいはパイプ５１、５２、５３を介して接続される。ガス監視処理装置５０はガス密度監視機能や給排気処理、分解ガスの分離処理機能を有している。このガス監視処理装置５０により断路器３１、３２内のガス区画３９、４０内のガス密度等を監視し、あるいは気密状態となるよう給排気処理、分解ガスの分離処理等が実施されている。
【００４０】
また、金属容器３４、絶縁サポート容器４５内に形成されるガス区画４９も接地構造物４４内に設けられたガス監視処理装置５０と絶縁ホースあるいはパイプ５４を介して接続され、ガス区画４９内の絶縁ガスの気密状態を監視し、必要なガス処理を行えるようになっている。
【００４１】
なお、接地構造物４４内において、各絶縁ホースあるいはパイプ５１、５２、５３、５４には開閉弁５５がそれぞれ設けられ、これらの開閉弁５５により各ガス区画３９、４０、４３、４９はガス監視処理装置５０と自在に切離しまたは接続することができる。
【００４２】
次に複合型ガス絶縁開閉装置３０の作用を説明する。
【００４３】
複合型ガス絶縁開閉装置３０は、絶縁サポート容器４５により接地側と絶縁されていることから、通常の運用では電気的に外部端子４６，４７を通じて電流が断路器接点３７、３８を流れ、さらに金属容器３４、遮断器接点４２を介して外部端子４８より外部に電気的に接続される。
【００４４】
一般に、１つの断路器３１の外部端子４６は２重母線の一方の母線に接続され、別の断路器３２の外部端子４７は他の母線に接続され、さらに遮断器３３の外部端子４８は送電線などのライン回線や変圧器などのバンク回線に接続される。
【００４５】
そして、各断路器３１，３２の開閉状態を調節することにより、外部端子４８に接続されたライン回線やバンク回線に接続する母線を選択することができる。
【００４６】
また、断路器３１，３２および遮断器３３はそれ自身ガス気密を保ったまま容易に金属容器３４から取り外すことができる。そして、逆に金属容器３４に取り付ける作業も容易である。
【００４７】
複合型ガス絶縁開閉装置３０は、断路器３１，３２および遮断器３３において万一の事故が発生しても他のガス区画に影響を与えること無く、絶縁容器３５、３６、４１により１つの構造物として容易に金属容器３４から切り離し、また接続することができる。不具合が発生した断路器３１，３２または遮断器３３のみを取り替えればよく、複合型ガス絶縁開閉装置３０全体の取り替えを不要としたので、現地への交換品の輸送を含めて経済的であり、しかも交換までの簡素化が図れ作業時間を短縮することができる。
【００４８】
また、複合型ガス絶縁開閉装置３０は、断路器３１，３２または遮断器３３が故障して交換する際に、工場での組立品質を維持した状態で現地において組立できる。
【００４９】
また、複合型ガス絶縁開閉装置３０は、２つの断路器３１，３２と１つの遮断器３３を一体的に備え、２重母線に接続されるライン回線、バンク回線等の基本構成であることから、この部分をガス絶縁により縮小化することで変電所全体が大幅に縮小化できる。この時、複合型ガス絶縁開閉装置３０の断路器３１，３２を２重母線の夫々に接続することになるが、一方の母線に雷撃があって一方の断路器３１に進入し、絶縁破壊が発生し閃絡した場合でも、他方の断路器３２および遮断器３３はガス区画が異なることから健全性が保持され、２重母線の送電系は生き続ける。すなわち、２重母線の送電系両方が同時に停止することにはならない。
【００５０】
したがって、複合型ガス絶縁開閉装置３０は、一方の母線が送電不能となっても、他方の母線で送電を可能とするように構成された２重母線方式の機能を損なうことなく、例えば母線選択の用途に適用できる複合型ガス絶縁開閉装置３０として提供することができる。
【００５１】
図２は本発明に係る複合型ガス絶縁開閉装置の第２の実施形態を示す構成図である。
【００５２】
図２では図１と同一の要素あるいは部品等には同じ符号を付してある。
【００５３】
図２に示された、複合型ガス絶縁開閉装置３０Ａでは、遮断器３３内のガス区画４３と金属容器３４、絶縁サポート容器４５内に形成されるガス区画４９に設けられた絶縁ホースあるいはパイプ５３，５４を接地構造物４４内で接続し、共通のガス監視処理装置５０と接続した構成が図１に示す第１の実施形態による複合型ガス絶縁開閉装置３０と相違している。他の構成については図１に示す第１の実施形態による複合型ガス絶縁開閉装置３０と実質的に異ならないため説明を省略する。
【００５４】
すなわち複合型ガス絶縁開閉装置３０Ａでは、共通のガス監視処理装置５０で遮断器３３内のガス区画４３と金属容器３４、絶縁サポート容器４５内に形成されるガス区画４９内の気密状態を監視し、必要なガス処理が行えるようになっている。
【００５５】
また、絶縁ホースあるいはパイプ５３、５４には共通の開閉弁５５が設けられ、この開閉弁５５により２つのガス区画４３、４９は共通のガス監視処理装置５０と自在に切離しまたは接続することができる。
【００５６】
複合型ガス絶縁開閉装置３０Ａでは、第１の実施形態による複合型ガス絶縁開閉装置３０と同等の機能および作用効果を得ることが可能であるとともに、ガス監視処理装置５０の数を削減することができるため、コスト的に有利である。
【００５７】
図３は本発明に係る複合型ガス絶縁開閉装置の第３の実施形態を示す構成図である。
【００５８】
図３では図１と同一の要素あるいは部品等には同じ符号を付してある。
【００５９】
図３に示された、複合型ガス絶縁開閉装置３０Ｂでは、図２に示す第２の実施形態による複合型ガス絶縁開閉装置３０Ａに対し、各断路器３１、３２内のガス区画３９、４０に設けられた絶縁ホースあるいはパイプ５１，５２を接地構造物４４内で接続し、共通のガス監視処理装置５０と接続した構成が相違している。他の構成については図２に示す第２の実施形態による複合型ガス絶縁開閉装置３０Ａと実質的に同じ構成であるため説明を省略する。
【００６０】
すなわち複合型ガス絶縁開閉装置３０Ｂでは、共通のガス監視処理装置５０で各断路器３１、３２内のガス区画３９、４０内の気密状態を監視し、必要なガス処理が行えるようになっている。
【００６１】
また、絶縁ホースあるいはパイプ５１、５２には共通の開閉弁５５が設けられ、この開閉弁５５により２つのガス区画３９、４０は共通のガス監視処理装置５０と自在に切離しまたは接続することができる。
【００６２】
複合型ガス絶縁開閉装置３０Ｂでは、第２の実施形態による複合型ガス絶縁開閉装置３０Ａと同等の機能および作用効果を得ることが可能でるとともに、第１および２の実施形態による複合型ガス絶縁開閉装置３０、３０Ａに比べ、さらにガス監視処理装置５０の数を削減することができる。
【００６３】
図４は本発明に係る複合型ガス絶縁開閉装置の第４の実施形態を示す構成図である。
【００６４】
図４では図１と同一の要素あるいは部品等には同じ符号を付してある。
【００６５】
図４に示された、複合型ガス絶縁開閉装置３０Ｃでは、図１に示す第１の実施形態による複合型ガス絶縁開閉装置３０に対し、各断路器３１、３２内のガス区画３９、４０、遮断器３３内のガス区画４３および金属容器３４、絶縁サポート容器４５内に形成されるガス区画４９の全てのガス区画に設けられた絶縁ホースあるいはパイプ５１、５２、５３、５４を接地構造物４４内で接続し、共通のガス監視処理装置５０と接続した構成が相違している。他の構成については図１に示す第１の実施形態による複合型ガス絶縁開閉装置３０と実質的に同じ構成であるため説明を省略する。
【００６６】
すなわち複合型ガス絶縁開閉装置３０Ｃでは、共通のガス監視処理装置５０で全てのガス区画３９、４０、４３、４９内の気密状態を監視し、必要なガス処理が行えるようになっている。
【００６７】
また、絶縁ホースあるいはパイプ５１、５２、５３、５４には共通の開閉弁５５が設けられ、この開閉弁５５により全てのガス区画３９、４０、４３、４９は共通のガス監視処理装置５０と自在に切離しまたは接続することができる。
【００６８】
複合型ガス絶縁開閉装置３０Ｃでは、図１に示す第１の実施形態による複合型ガス絶縁開閉装置３０と同等の機能および作用効果を得ることが可能であるとともに、ガス監視処理装置５０の数を最少にできコスト的に有利である。
【００６９】
図５は本発明に係る複合型ガス絶縁開閉装置の第５の実施形態を示す構成図である。
【００７０】
図５では図１と同一の要素あるいは部品等には同じ符号を付してある。
【００７１】
図５に示された、複合型ガス絶縁開閉装置３０Ｄでは、図１に示す第１の実施形態による複合型ガス絶縁開閉装置３０に対し、遮断器３３内と金属容器３４、絶縁サポート容器４５内の間の気密性をなくした構成が相違している。
【００７２】
すなわち複合型ガス絶縁開閉装置３０Ｄでは、遮断器３３、金属容器３４、絶縁サポート容器４５内で気密性を保持しながら共通のガス区画６０を形成している。遮断器３３、金属容器３４、絶縁サポート容器４５内のガス区画には絶縁ホースあるいはパイプ６１が接続され接地構造物４４内で共通のガス監視処理装置５０と接続されている。ガス監視処理装置５０ではガス区画６０内の気密状態を監視し、必要なガス処理が行えるようになっている。
【００７３】
また、絶縁ホースあるいはパイプ６１には開閉弁５５が設けられ、この開閉弁５５によりガス区画６０はガス監視処理装置５０と自在に切離しまたは接続することができる。
【００７４】
他の構成については図１に示す第１の実施形態による複合型ガス絶縁開閉装置３０と実質的に同じ構成であるため説明を省略する。
【００７５】
複合型ガス絶縁開閉装置３０Ｄでは、第１の実施形態による複合型ガス絶縁開閉装置３０に対して、遮断器３３内と金属容器３４、絶縁サポート容器４５内の区画を共通にすることにより、ガス区画の数を減らすことができる。ガス区画の数が減るためガス監視処理装置５０の数を削減することができるとともに監視および処理作業そのものの必要性をなくすことができる。
【００７６】
また、複合型ガス絶縁開閉装置３０Ｄでは、断路器３１、３２については第１の実施形態による複合型ガス絶縁開閉装置３０と同等の機能および作用効果を有する。
【００７７】
また、複合型ガス絶縁開閉装置３０Ｄでは、遮断器３３と金属容器３４の間にシール部がないため、第１の実施形態による複合型ガス絶縁開閉装置３０と比較して、遮断器３３、金属容器３４、絶縁サポート容器４５内の気密性が安定し、信頼性が向上する。
【００７８】
図６は本発明に係る複合型ガス絶縁開閉装置の第６の実施形態を示す構成図である。
【００７９】
図６では図１および図５と同一の要素あるいは部品等には同じ符号を付してある。
【００８０】
図６に示された、複合型ガス絶縁開閉装置３０Ｅでは、図５に示す第５の実施形態による複合型ガス絶縁開閉装置３０Ｄに対し、各断路器３１、３２内のガス区画３９、４０に設けられた絶縁ホースあるいはパイプ５１，５２を接地構造物４４内で接続し、共通のガス監視処理装置５０と接続した構成が相違している。
【００８１】
すなわち複合型ガス絶縁開閉装置３０Ｅでは、共通のガス監視処理装置５０で各断路器３１、３２内のガス区画３９、４０内の気密状態を監視し、必要なガス処理が行えるようになっている。
【００８２】
また、絶縁ホースあるいはパイプ５１、５２には共通の開閉弁５５が設けられ、この開閉弁５５により２つのガス区画３９、４０はガス監視処理装置５０と自在に切離しまたは接続することができる。
【００８３】
他の構成については図５に示す第５の実施形態による複合型ガス絶縁開閉装置３０Ｄと実質的に同じ構成であるため説明を省略する。
【００８４】
複合型ガス絶縁開閉装置３０Ｅでは、第５の実施形態による複合型ガス絶縁開閉装置３０Ｄと同等の機能および作用効果を得ることが可能であるとともに、ガス監視処理装置５０の数を削減することができる。
【００８５】
図７は本発明に係る複合型ガス絶縁開閉装置の第７の実施形態を示す構成図である。
【００８６】
図７では図１および図５と同一の要素あるいは部品等には同じ符号を付してある。
【００８７】
図７に示された、複合型ガス絶縁開閉装置３０Ｆでは、図５に示す第５の実施形態による複合型ガス絶縁開閉装置３０Ｄに対し、各断路器３１、３２内および遮断器３３、金属容器３４、絶縁サポート容器４５内の全てのガス区画３９，４０，６０に設けられた絶縁ホースあるいはパイプ５１，５２，６１を接地構造物４４内で接続し、共通のガス監視処理装置５０と接続した構成が相違している。
【００８８】
すなわち複合型ガス絶縁開閉装置３０Ｆでは、共通のガス監視処理装置５０で全てのガス区画３９、４０、６０内の気密状態を監視し、必要なガス処理が行えるようになっている。
【００８９】
また、絶縁ホースあるいはパイプ５１，５２，６１には共通の開閉弁５５が設けられ、この開閉弁５５により全てのガス区画３９、４０、６４は共通のガス監視処理装置５０と自在に切離しまたは接続することができる。
【００９０】
他の構成については図５に示す第５の実施形態による複合型ガス絶縁開閉装置３０Ｄと実質的に同じ構成であるため説明を省略する。
【００９１】
複合型ガス絶縁開閉装置３０Ｆでは、第５の実施形態による複合型ガス絶縁開閉装置３０Ｄと同等の機能および作用効果を得ることが可能であるとともに、ガス監視処理装置５０の数を削減し、最少にすることができる。
【００９２】
図８は本発明に係る複合型ガス絶縁開閉装置の第８の実施形態を示す構成図である。
【００９３】
図８では図１および図５と同一の要素あるいは部品等には同じ符号を付してある。
【００９４】
図８に示された、複合型ガス絶縁開閉装置３０Ｇでは、３つのガス絶縁開閉ユニット６２が共通の接地構造物６３上に設けられた構成となっている。ガス絶縁開閉ユニット６２は、断路器３１，３２および遮断器３３が、導電性である金属容器３４に立設あるいは斜設される一方、この金属容器３４を絶縁サポート容器４５上に設けた構成となっている。断路器３１，３２および遮断器３３の構成は図１に示す第１の実施形態による複合型ガス絶縁開閉装置３０と実質的に同じであるため説明を省略する。
【００９５】
また、それぞれのガス絶縁開閉ユニット６２の各断路器３１，３２、遮断器３３、金属容器３４および絶縁サポート容器４５には絶縁ガスが封入される。
【００９６】
ガス区画については、図５に示す第５の実施形態による複合型ガス絶縁開閉装置３０Ｄと同様に、それぞれのガス絶縁開閉ユニット６２の各断路器３１、３２については気密が保持され、それぞれ独立したガス区画３９、４０を形成し、各遮断器３３内と金属容器３４内の間には気密性がなく、遮断器３３、金属容器３４、絶縁サポート容器４５内で気密性を保持しながらそれぞれ共通にガス区画６０を形成している。
【００９７】
それぞれのガス絶縁開閉ユニット６２の各断路器３１、３２内および遮断器３３、金属容器３４、絶縁サポート容器４５内の全てのそれぞれのガス区画３９，４０，６０に設けられたホースあるいはパイプ５１、５２、６１は共通の接地構造物６３内で共通のガス監視処理装置５０と接続される構成となっている。
【００９８】
すなわち複合型ガス絶縁開閉装置３０Ｇでは、共通のガス監視処理装置５０で各ガス絶縁開閉ユニット６２全ての各ガス区画３９、４０、６０内の気密状態を監視し、必要なガス処理が行えるようになっている。
【００９９】
また、絶縁ホースあるいはパイプ５１，５２，６１には共通の開閉弁５５が設けられ、この開閉弁５５により全ての各ガス区画３９、４０、６０は共通のガス監視処理装置５０と自在に切離しまたは接続することができる。
【０１００】
複合型ガス絶縁開閉装置３０Ｇは、断路器３１，３２および遮断器３３が絶縁サポート容器４５上の金属容器３４に立設あるいは斜設された構成をガス絶縁開閉ユニット６２とし、共通の接地構造物６３上に、このガス絶縁開閉ユニット６２を複数設置し構造部品の共有化を図ったものである。この共有化により、接地構造物４４または６３あるいはガス監視処理装置５０の数を必要最小限にすることができる。
【０１０１】
また、複合型ガス絶縁開閉装置３０Ｇは、２重母線方式の送電系に適用でき、これにより２重母線方式の機能および作用効果を損なうことなく母線選択の用途に適用できる。
【０１０２】
また、複合型ガス絶縁開閉装置３０Ｇは、図１に示す第１の実施形態による複合型ガス絶縁開閉装置３０と同様に、遮断器３３内で気密性を保持し、独立したガス区画を形成する構成とすることも可能である。この構成とすることにより遮断器３３の信頼性、作業性を上げることができる。
【０１０３】
図９は本発明に係る複合型ガス絶縁開閉装置の第９の実施形態を示す構成図である。
【０１０４】
図９では図１および図８と同一の要素あるいは部品等には同じ符号を付してある。
【０１０５】
図９に示された、複合型ガス絶縁開閉装置３０Ｈでは、図８に示す第８の実施形態による複合型ガス絶縁開閉装置３０Ｇと同様に３つのガス絶縁開閉ユニット６２が共通の接地構造物６３上に設けられた構成となっている。絶縁ホースあるいはパイプ５１，５２，６１の接続形態およびガス監視処理装置５０と開閉弁５５の個数を除いて、実質的に図８に示す第８の実施形態による複合型ガス絶縁開閉装置３０Ｇと同じ構成であるため、他の構成については説明を省略する。
【０１０６】
複合型ガス絶縁開閉装置３０Ｈでは、各ガス絶縁開閉ユニット６２の断路器３１内の各ガス区画３９に設けられたそれぞれの絶縁ホースあるいはパイプ５１同士を、共通の接地構造物６３内で接続し共通のガス監視処理装置５０と接続される構成となっている。
【０１０７】
また、各ガス絶縁開閉ユニット６２の断路器３２内の各ガス区画４０に設けられたそれぞれの絶縁ホースあるいはパイプ５２についても同様に、共通の接地構造物６３内で接続され、共通のガス監視処理装置５０と接続される構成となっている。
【０１０８】
さらに、各ガス絶縁開閉ユニット６２の遮断器３３、金属容器３４、絶縁サポート容器４５内のガス区画６０に設けられたそれぞれの絶縁ホースあるいはパイプ６１についても共通の接地構造物６３内で接続され、共通のガス監視処理装置５０と接続される構成となっている。
【０１０９】
すなわち、各ガス絶縁開閉ユニット６２の断路器３１内の各ガス区画３９の気密状態を、共通のガス監視処理装置５０で監視し、必要なガス処理が行えるようになっている。各ガス絶縁開閉ユニット６２の断路器３２内の各ガス区画４０および遮断器３３、金属容器３４、絶縁サポート容器４５内の各ガス区画６０についても同様である。
【０１１０】
また、絶縁ホースあるいはパイプ５１には共通の開閉弁５５が設けられ、この開閉弁５５により各ガス絶縁開閉ユニット６２の断路器３１内の各ガス区画３９は共通のガス監視処理装置５０と自在に切離しまたは接続することができる。絶縁ホースあるいはパイプ５２および６１についても絶縁ホースあるいはパイプ５１と同様である。
【０１１１】
複合型ガス絶縁開閉装置３０Ｈでは、各ガス絶縁開閉ユニット６２の断路器３１、３２内の各ガス区画３９、４０および遮断器３３、金属容器３４、絶縁サポート容器４５内の各ガス区画６０を個別にガス監視処理することにより第８の実施形態による複合型ガス絶縁開閉装置３０Ｇと比較して信頼性が向上する。
【０１１２】
図１０は本発明に係る複合型ガス絶縁開閉装置の第１０の実施形態を示す構成図である。
【０１１３】
図１０では図１および図８と同一の要素あるいは部品等には同じ符号を付してある。
【０１１４】
図１０に示された、複合型ガス絶縁開閉装置３０Ｉでは、各ガス絶縁開閉ユニット６２の遮断器３３、金属容器３４、絶縁サポート容器４５内の各ガス区画６０に設けられた絶縁ホースあるいはパイプ６１の接続形態およびガス監視処理装置５０と開閉弁５５の個数を除いて、図９に示す第９の実施形態による複合型ガス絶縁開閉装置３０Ｈと実質的に同じ構成である。したがって、その他の構成については説明を省略する。
【０１１５】
複合型ガス絶縁開閉装置３０Ｉでは、各ガス絶縁開閉ユニット６２の遮断器３３、金属容器３４、絶縁サポート容器４５内の各ガス区画６０に設けられた絶縁ホースあるいはパイプ６１は接続せずに個別にそれぞれガス監視処理装置５０と接続される構成となっている。
【０１１６】
すなわち、複合型ガス絶縁開閉装置３０Ｉでは、各ガス絶縁開閉ユニット６２の遮断器３３、金属容器３４、絶縁サポート容器４５内の各ガス区画６０の気密状態については、個別にそれぞれのガス監視処理装置５０で監視し、必要なガス処理が行えるようになっている。
【０１１７】
一方、各ガス絶縁開閉ユニット６２の断路器３１、３２内の各ガス区画３９、４０の気密状態については、第９の実施形態による複合型ガス絶縁開閉装置３０Ｈと同様なガス監視処理方法である。
【０１１８】
複合型ガス絶縁開閉装置３０Ｉでは、重要性の高い各ガス絶縁開閉ユニット６２の遮断器３３、金属容器３４、絶縁サポート容器４５内の各ガス区画６０の気密状態については、個別にガス監視処理することにより、第９の実施形態よりもさらに高い信頼性を維持できる。
【０１１９】
図１１は本発明に係る複合型ガス絶縁開閉装置の第１１の実施形態を示す構成図である。
【０１２０】
図１１では図１および図８と同一の要素あるいは部品等には同じ符号を付してある。
【０１２１】
図１１に示された、複合型ガス絶縁開閉装置３０Ｊでは、各ガス絶縁開閉ユニット６２の各断路器３１、３２内の各ガス区画３９，４０に設けられた絶縁ホースあるいはパイプ５１、５２の接続形態およびガス監視処理装置５０と開閉弁５５の個数を除いて、図１０に示す第１０の実施形態による複合型ガス絶縁開閉装置３０Ｉと実質的に同じ構成である。したがって、その他の構成については説明を省略する。
【０１２２】
図１１に示された、複合型ガス絶縁開閉装置３０Ｊでは、各ガス絶縁開閉ユニット６２の各断路器３１、３２内の各ガス区画３９，４０に設けられたそれぞれの絶縁ホースあるいはパイプ５１、５２を全て接続し、共通のガス監視処理装置５０と接続される構成となっている。
【０１２３】
すなわち、複合型ガス絶縁開閉装置３０Ｊでは、各ガス絶縁開閉ユニット６２の各断路器３１、３２内のそれぞれのガス区画３９，４０の気密状態を、共通のガス監視処理装置５０で監視し、必要なガス処理が行えるようになっている。
【０１２４】
一方、各ガス絶縁開閉ユニット６２の遮断器３３、金属容器３４、絶縁サポート容器４５内の各ガス区画６０の気密状態については、第１０の実施形態による複合型ガス絶縁開閉装置３０Ｉと同様なガス監視処理方法である。
【０１２５】
複合型ガス絶縁開閉装置３０Ｊでは、重要性の高い各ガス絶縁開閉ユニット６２の遮断器３３、金属容器３４、絶縁サポート容器４５内の各ガス区画６０の気密状態については、第９の実施形態と同等な信頼性を維持しつつ、ガス監視処理装置５０の個数を削減することができる。
【０１２６】
図１２は図５に示す第５の実施形態の複合型ガス絶縁開閉装置３０Ｄの変形例を示す図である。
【０１２７】
図１２では図５と同一の要素あるいは部品等には同じ符号を付してある。
【０１２８】
図１２で複合型ガス絶縁開閉装置３０Ｋは第５の実施形態の複合型ガス絶縁開閉装置３０Ｄの変形例である。
【０１２９】
図５に示す複合型ガス絶縁開閉装置３０Ｄは２つの断路器３１、３２を具備しているのに対し、図１２に示された、複合型ガス絶縁開閉装置３０Ｋでは、１つの断路器３１のみを具備した構成としている。したがって、図５に示す複合型ガス絶縁開閉装置３０Ｄの断路器３２に設けられた絶縁ホースあるいはパイプ５２に相当する構成部品も、複合型ガス絶縁開閉装置３０Ｋでは具備されていない。また、ガス監視処理装置５０と開閉弁５５の個数も１つ少ない。
【０１３０】
すなわち複合型ガス絶縁開閉装置３０Ｋは、単一の母線に接続された断路器３１のガス区画３９と遮断器３３、金属容器３４、絶縁サポート容器４５内のガス区画６０のみを、個別にガス監視処理装置５０で監視し、必要なガス処理が行えるようになっている。
【０１３１】
複合型ガス絶縁開閉装置３０Ｋの構成にすることにより、単母線方式の送電系においても、第５の実施形態の複合型ガス絶縁開閉装置３０Ｄと同等な機能および作用効果を得ることができる。
【０１３２】
図１３は図８に示す第８の実施形態の複合型ガス絶縁開閉装置３０Ｇの変形例を示す図である。
【０１３３】
図１３では図８と同一の要素あるいは部品等には同じ符号を付してある。
【０１３４】
図１３で複合型ガス絶縁開閉装置３０Ｌは第８の実施形態の複合型ガス絶縁開閉装置３０Ｇの変形例である。
【０１３５】
図８に示す複合型ガス絶縁開閉装置３０Ｇの各ガス絶縁開閉ユニット６２は、それぞれ２つの断路器３１、３２を具備しているのに対し、図１３に示された、複合型ガス絶縁開閉装置３０Ｌでは、各ガス絶縁開閉ユニット６２は、それぞれ１つの断路器３１のみを具備した構成としている。したがって、図８に示す複合型ガス絶縁開閉装置３０Ｇの各ガス絶縁開閉ユニット６２の、それぞれの断路器３２に設けられた絶縁ホースあるいはパイプ５２に相当する構成部品も、複合型ガス絶縁開閉装置３０Ｌの各ガス絶縁開閉ユニット６２には具備されていない。
【０１３６】
すなわち複合型ガス絶縁開閉装置３０Ｌは、各ガス絶縁開閉ユニット６２で単一の母線に接続されたそれぞれの断路器３１の各ガス区画３９とそれぞれの遮断器３３、金属容器３４、絶縁サポート容器４５内の各ガス区画６０を、共通のガス監視処理装置５０で監視し、必要なガス処理が行えるようになっている。
【０１３７】
複合型ガス絶縁開閉装置３０Ｌの構成にすることにより、単母線方式の送電系においても、第８の実施形態の複合型ガス絶縁開閉装置３０Ｇと同等な機能および作用効果を得ることができる。
【０１３８】
図１４は図５に示す第５の実施形態の複合型ガス絶縁開閉装置３０Ｄの他の変形例を示す図である。
【０１３９】
図１４では図５と同一の要素あるいは部品等には同じ符号を付してある。
【０１４０】
図１４で複合型ガス絶縁開閉装置３０Ｍは第５の実施形態の複合型ガス絶縁開閉装置３０Ｄの変形例である。
【０１４１】
図５の複合型ガス絶縁開閉装置３０Ｄでは断路器３１、３２内のガス区画３９，４０に設けられた絶縁ホースあるいはパイプ５１、５２は絶縁サポート容器４５の内部を通り接地構造物４４内でガス監視処理装置５０に接続されが、複合型ガス絶縁開閉装置３０Ｍでは、このうち断路器３２内のガス区画４０に設けられた絶縁ホースあるいはパイプ５２を断路器３１内のガス区画３９に接続した構成とている。
【０１４２】
すなわち、複合型ガス絶縁開閉装置３０Ｍでは、断路器３１、３２内の各ガス区画３９，４０を絶縁ホースあるいはパイプ５２で接続し、単一の区画として扱えるようにしている。そして、各ガス区画３９，４０内の気密性を共通のガス監視処理装置５０で監視し、必要なガス処理が行えるようになっている。
【０１４３】
【発明の効果】
本発明に係る複合型ガス絶縁開閉装置においては、各開閉装置は絶縁物の容器により１つの構造物として容易に金属容器から切離しまたは接続することができるので、１つの開閉装置が故障したとき、その装置のみを取り替えることができる。したがって、取り替えに要する時間を短くでき、また安価である。更に各開閉装置は工場品質を維持できる。
【０１４４】
また、各開閉装置内のガス区画を接地構造物側にて、個別にガス監視処理することができるため、１つの開閉装置が故障したとき、事故の影響をそのガス区画に限定することが出来る。
【０１４５】
また、接地電位から高電圧電極に対する絶縁は、比較的長い絶縁サポート容器により実施されるので、各開閉装置の対地絶縁を考慮する必要がなく、安価にすることができる。
【０１４６】
また、複数個の開閉装置の中に断路器接点を収納した開閉装置を含むことは、変電所の機器構成の特性上、断路器を含む構成が殆どであることから、本発明に係る複合型ガス絶縁開閉装置の最少の組み合わせにより、どのような変電所の構成も可能となる。
【０１４７】
また、必要に応じガス監視処理方法を選択でき、例えば２重母線方式を維持した性能重視の構成や、できる限りガス監視処理装置を共有化しコストを下げた構成、あるいはその中間の構成等を選択できる。
【図面の簡単な説明】
【図１】本発明に係る複合型ガス絶縁開閉装置の第１の実施形態を示す構成図。
【図２】本発明に係る複合型ガス絶縁開閉装置の第２の実施形態を示す構成図。
【図３】本発明に係る複合型ガス絶縁開閉装置の第３の実施形態を示す構成図。
【図４】本発明に係る複合型ガス絶縁開閉装置の第４の実施形態を示す構成図。
【図５】本発明に係る複合型ガス絶縁開閉装置の第５の実施形態を示す構成図。
【図６】本発明に係る複合型ガス絶縁開閉装置の第６の実施形態を示す構成図。
【図７】本発明に係る複合型ガス絶縁開閉装置の第７の実施形態を示す構成図。
【図８】本発明に係る複合型ガス絶縁開閉装置の第８の実施形態を示す構成図。
【図９】本発明に係る複合型ガス絶縁開閉装置の第９の実施形態を示す構成図。
【図１０】本発明に係る複合型ガス絶縁開閉装置の第１０の実施形態を示す構成図。
【図１１】本発明に係る複合型ガス絶縁開閉装置の第１１の実施形態を示す構成図。
【図１２】図５に示す第５の実施形態の複合型ガス絶縁開閉装置の変形例を示す図。
【図１３】図８に示す第８の実施形態の複合型ガス絶縁開閉装置の変形例を示す図。
【図１４】図５に示す第５の実施形態の複合型ガス絶縁開閉装置３０Ｄの他の変形例を示す図。
【図１５】従来の複合型ガス絶縁開閉装置の断路器接点近傍を示す正面断面図。
【符号の説明】
３０、３０Ａ、３０Ｂ、３０Ｃ、３０Ｄ、３０Ｅ、３０Ｆ、３０Ｇ、３０Ｈ、３０Ｉ、３０Ｋ、３０Ｌ、３０Ｍ　複合型ガス絶縁開閉装置
３１、３２　断路器
３３　遮断器
３４　金属容器３４
３５、３６　絶縁容器
３７、３８　断路器接点
３９、４０　ガス区画
４１　絶縁容器
４２　遮断器接点
４３　ガス区画
４４　接地構造物
４５　絶縁サポート容器
４６、４７、４８　外部端子
４９　ガス区画
５０　ガス監視処理装置
５１、５２、５３、５４　絶縁ホースあるいはパイプ
５５　開閉弁
６０　ガス区画
６１　絶縁ホースあるいはパイプ
６２　ガス絶縁開閉ユニット
６３　接地構造物
【図１】
2004120953.tif 000003
【図２】
2004120953.tif 000004
【図３】
2004120953.tif 000005
【図４】
2004120953.tif 000006
【図５】
2004120953.tif 000007
【図６】
2004120953.tif 000008
【図７】
2004120953.tif 000009
【図８】
2004120953.tif 000010
【図９】
2004120953.tif 000011
【図１０】
2004120953.tif 000012
【図１１】
2004120953.tif 000013
【図１２】
2004120953.tif 000014
【図１３】
2004120953.tif 000015
【図１４】
2004120953.tif 000016
【図１５】
2004120953.tif 000017